(57)【要約】【課題】高度な偽造防止効果を有する表示体を提供することにある。【解決手段】光透過性を持つ基材と、前記基材の一方の面上に少なくとも１つの誘電体層と少なくとも１つの金属層が交互に積層された積層体を具備する表示体であって、前記基材と前記積層体の誘電体層が隣接し、少なくとも１つの前記誘電体層の一部領域において周期的な凹凸構造が具備されている。そうすることで、周期的な凹凸構造により回折光が観察可能となり、かつ表示体を光に透過させた時に観察される観察像が有彩色を呈する。【選択図】図１
2013174683.tif 000002
【特許請求の範囲】
【請求項１】
周期構造による回折光を用いた表示体であって、少なくとも、
光透過性基材と、
光透過性基材の片面に、少なくとも１層の誘電体層と少なくとも１層の金属層とが交互に積層された積層体を備えてなり、
前記誘電体層は、前記基材と隣接し、且つ一部の領域に山部と谷部からなる周期的な凹凸構造を備えており、
前記谷部において前記誘電体層と前記金属層からなる第１界面領域が含まれる平面と前記山部において前記誘電体層と前記金属層からなる第２界面領域が含まれる平面は、前記基材の表面と略平行であり、且つ前記基材の法線方向において異なる高さで形成されており、
前記第１界面領域と前記第２界面領域は、長辺および短辺の長さがそれぞれ１０ｎｍ以上４００ｎｍ以下であり、
前記金属層が、前記第１の界面領域および前記第２の界面領域のうち少なくとも一方の界面領域に積層されており、
前記第１界面領域と前記第２界面領域の高さの差分が、前記金属層の層厚の３倍以上１０倍以下であり、
前記金属層の可視光波長領域における複素誘電率の実部が、負の値であることを特徴とする表示体。
【請求項２】
誘電体層が１種類以上の誘電体材料からなり、金属層が１種類以上の誘電体材料からなることを特徴とする請求項１に記載の表示体。
【請求項３】
光透過性基材の片面に、少なくとも１層の誘電体層と少なくとも１層の金属層とが交互に積層された積層体が、部分的に、その積層数と積層の順序と材料の種類のうち、少なくともいずれか１つが異なっていることを特徴とする請求項１または２に記載の表示体。
【請求項４】
周期的な凹凸構造の平均周期が５０ｎｍ以上５００ｎｍ以下であることを特徴とする請求項１〜３のいずれか１項に記載の表示体。
【請求項５】
周期的な凹凸構造がドットパターンであり、その凹部の底部または凸部の天面部に、更に周期的な凹凸構造が形成されていることを特徴とする請求項１〜４のいずれか１項に記載の表示体。
【請求項６】
誘電体層および金属層の層厚が、下記式（１）を満たすことを特徴とする請求項１から５いずれか１項に記載の表示体。
【数１】
2013174683.tif 000005
δｉ：層厚  c：光速  ω：角周波数  ε１：誘電体層の誘電率  ε２：金属層の誘電率
【請求項７】
請求項１〜６に記載の表示体の観察方法であって、少なくとも、
前記表示体の積層体が形成されている部分に透過光を照射する透過光照射工程と、
前記透過光照射工程で前記表示体に照射され、前記表示体を透過して来た透過光を観察する観察工程と、からなることを特徴とする表示体の観察方法。
【発明の詳細な説明】
【技術分野】
【０００１】
本発明は、偽造防止効果を発揮するために、周期構造により生じる回折光を用いた表示技術に関し、特に周期構造を透過させた時に生じる可視光波長領域の透過光に関する表示体に関する。
【背景技術】
【０００２】
有価証券、証明書、ブランド品、電子機器及び個人認証媒体などの物品には、偽造が困難であることが望まれる。そのため、このような物品には、偽造防止効果に優れた表示体を支持させることがある。
【０００３】
従来、偽造防止技術を施した表示体として、種々の構成が知られている（特許文献１〜８）。例えば、特許文献１では、蛍光発光インキを用いた蛍光画像形成物のセキュリティレベルを上げるために、それぞれの蛍光体が発光する蛍光の波長領域が異なる２種類の蛍光体を含有する蛍光画像形成物を用いている。また特許文献３では、特定の角度からのみ確認できる凹版潜像が開示されている。また特許文献４では、ホログラム層と光反射性層と配向膜との組み合わせによる真偽判定用媒体が開示されている。
【０００４】
しかしながら、これら上記の提案はいずれも一つの偽造防止機能によるために、よりレ
ベルの高い偽造防止効果を提供するには問題がある。
【０００５】
また、上記の提案は何れも表示体の反射光による反射像を目視観察しており、表示体を光に透過させた際の透過光による透過像に対しては着目されていない。
【先行技術文献】
【特許文献】
【０００６】
【特許文献１】特開平１０−２５０２１４号公報
【特許文献２】特開２００４−１８１７９１号公報
【特許文献３】特開平１１−２９１６０９号公報
【特許文献４】特開２００５−０９１７８６号公報
【特許文献５】特表２００２−５３０６８７号公報
【特許文献６】特表２００９−５３５６７０号公報
【特許文献７】特開平５−２７３５００号公報
【特許文献８】特開２００８−１３９５０８号公報
【発明の概要】
【発明が解決しようとする課題】
【０００７】
本発明の課題は、高度な偽造防止効果を有する表示体を提供することにある。
【課題を解決するための手段】
【０００８】
上記の課題を解決する手段として、本発明の請求項１に係る発明は、周期構造による回折光を用いた表示体であって、少なくとも、
光透過性基材と、
光透過性基材の片面に、少なくとも１層の誘電体層と少なくとも１層の金属層とが交互に積層された積層体を備えてなり、
前記誘電体層は、前記基材と隣接し、且つ一部の領域に山部と谷部からなる周期的な凹凸構造を備えており、
前記谷部において前記誘電体層と前記金属層からなる第１界面領域が含まれる平面と前
記山部において前記誘電体層と前記金属層からなる第２界面領域が含まれる平面は、前記基材の表面と略平行であり、且つ前記基材の法線方向において異なる高さで形成されており、
前記第１界面領域と前記第２界面領域は、長辺および短辺の長さがそれぞれ１０ｎｍ以上４００ｎｍ以下であり、
前記金属層が、前記第１の界面領域および前記第２の界面領域のうち少なくとも一方の界面領域に積層されており、
前記第１界面領域と前記第２界面領域の高さの差分が、前記金属層の層厚の３倍以上１０倍以下であり、
前記金属層の可視光波長領域における複素誘電率の実部が、負の値であることを特徴とする表示体である。すなわち、光透過性を有する基材と積層体を組み合わせることにより得られる偽造防止効果により、より高度なレベルの真偽判定ができる。
【０００９】
また、本発明の請求項２に係る発明は、誘電体層が１種類以上の誘電体材料からなり、金属層が１種類以上の誘電体材料からなることを特徴とする請求項１に記載の表示体である。
【００１０】
また、本発明の請求項３に係る発明は、光透過性基材の片面に、少なくとも１層の誘電体層と少なくとも１層の金属層とが交互に積層された積層体が、部分的に、その積層数と積層の順序と材料の種類のうち、少なくともいずれか１つが異なっていることを特徴とする請求項１または２に記載の表示体である。
【００１１】
また、本発明の請求項４に係る発明は、周期的な凹凸構造の平均周期が５０ｎｍ以上５００ｎｍ以下であることを特徴とする請求項１〜３のいずれか１項に記載の表示体である。
【００１２】
また、本発明の請求項５に係る発明は、周期的な凹凸構造がドットパターンであり、その凹部の底部または凸部の天面部に、更に周期的な凹凸構造が形成されていることを特徴とする請求項１〜４のいずれか１項に記載の表示体である。
【００１３】
また、本発明の請求項６に係る発明は、誘電体層および金属層の層厚が、下記式（１）を満たすことを特徴とする請求項１から５いずれか１項に記載の表示体。
【数２】
2013174683.tif 000003
δｉ：層厚  c：光速  ω：角周波数  ε１：誘電体層の誘電率  ε２：金属層の誘電率
【００１４】
また、本発明の請求項７に係る発明は、請求項１〜６に記載の表示体の観察方法であって、少なくとも、
前記表示体の積層体が形成されている部分に透過光を照射する透過光照射工程と、
前記透過光照射工程で前記表示体に照射され、前記表示体を透過して来た透過光を観察する観察工程と、からなることを特徴とする表示体の観察方法である。
【発明の効果】
【００１５】
本発明によれば、複数の偽造防止機能を付与することにより、より高度な偽造防止効果を有する表示体と、それを備えたラベル付き物品、及びそれらの真偽判定方法を提供することが可能となる。
【図面の簡単な説明】
【００１６】
【図１】本発明の一態様に係る表示体の一例を示す断面図
【図２】本発明の一態様に係る表示体の他の例を示す断面図
【図３】本発明の一態様に係る表示体の他の例を示す断面図
【図４】本発明の一態様に係る表示体の他の例を示す断面図
【図５】凹凸構造の一例を示す斜視図
【図６】凹凸構造の他の例を示す斜視図
【図７】凹凸構造の他の例を示す斜視図
【図８】本発明の一態様に係る表示体の他の例を示す断面図
【図９】本発明の一態様に係る表示体の一例を示す平面図
【図１０】図９に示す表示体の正面を表示体からの透過光で観察する場合の一例を示す概念図
【発明を実施するための形態】
【００１７】
以下、本発明の態様について、図面を参照しながら詳細に説明する。なお、同様又は類似した機能を発揮する構成要素には全ての図面を通じて同一の参照符号を付し、重複する説明は省略する。
【００１８】
図１は、本発明の一態様に係る表示体の一例を示す断面図である。図２は、本発明の一態様に係る表示体の他の例を示す断面図である。図１及び図２では、表示体１００の表面に平行であり、且つ互いに直交する方向をＸ方向及びＹ方向とし、表示体１００の表面に垂直な方向をＺ方向としている。
【００１９】
図１に示す表示体１００は、基材１０と、基材１０に積層された誘電体層１１と、金属層１２とを含んでいる場合を示している。図１には、一例として金属層１２が誘電体層１１の表面側に形成されている場合を示している。
【００２０】
誘電体層１１の基材１０とは反対側（表面側）の面には、周期的な凹凸構造が形成されている。誘電体層１１の材料としては、例えば、可視光透過性を有する樹脂を使用することができる。特に、熱可塑性樹脂、熱硬化性樹脂又は光硬化性樹脂を使用すると、原版を用いた転写により、上記凹凸構造を容易に形成することができる。それゆえ、この場合、周期的な凹凸構造を原版に高精度に形成しておけば、精密な量産複製品を比較的容易に製造することができる。
【００２１】
誘電体層１１は、単層構造を有していてもよく、多層構造を有していてもよい。誘電体層１１は、樹脂への染料の添加などにより、着色されていてもよい。
【００２２】
また、誘電体層１１の材料として、例えばＳｉＯ２やＴｉＯ２、ＭｇＦ２などの可視光透過性を有する無機材料やそれらの混合物を使用することができる。これら無機材料を使用する場合、周期的な凹凸構造は化学的エッチング処理や物理的エッチング処理、またはリフトオフ技術などを用いることにより形成することができる。
【００２３】
誘電体層１１に形成される周期的な凹凸構造の周期や山部、谷部の形状を連続的または非連続的に変化させ、空間的に分布させることにより、その分布に対応した像を表現することもできる。
【００２４】
なお上記の無機材料を誘電体層１１する際には、例えば、蒸着およびスパッタリングなどの薄膜形成技術により形成することができる。
【００２５】
金属層１２は、誘電体層１１に設けられた周期的な凹凸構造の谷部に対応する第１の界面領域ＩＰ１と、山部に対応する第２の界面領域ＩＰ２のうち少なくとも一方の界面領域を被覆している。金属層１２を設けることにより、後に説明する光学効果および表面プラズモン共鳴がより顕著となる。
【００２６】
金属層１２の材料としては、可視光波長領域において複素誘電率の実部が負の値である金
属材料であることが必要である。例えば、アルミニウム、銀及び金などの金属材料が挙げられる。そうすることで、可視光波長領域において後に説明する表面プラズモン共鳴が生じる。金属層１２は、単層構造を有していてもよく、多層構造を有していてもよい。
【００２７】
金属層１２は、例えば、蒸着及びスパッタリングなどの薄膜形成技術により形成することができる。また、金属層１２の存在する領域を空間的に分布させることにより、この金属層１２の分布を用いて像を表現することもできる。
【００２８】
図２に示す表示体１００は、図１に示す形態において、金属層１２を誘電体層１１ａと誘電体層１１ｂで挟み込んだ積層体２００を含んでいる場合を示している。
【００２９】
図３に示す表示体１００は、図１に示す形態において、金属層１２ａを誘電体層１１ａと誘電体層１１ｂで挟み込み、誘電体層１１ｂの上面に金属層１２ｂを設けた積層体２００を含んでいる場合を示しており、誘電体層１１ａと誘電体層１１ｂに２つの界面領域を有する周期構造が形成されている。
【００３０】
図４に示す表示体１００は、図１に示す形態において、金属層１２ａを誘電体層１１ａと誘電体層１１ｂで挟み込み、金属層１２ｂを誘電体層１１ｂと誘電体層１１ｃとで挟み込んだ積層体２００を含んでいる場合を描いており、誘電体層１１ａと誘電体層１１ｂに２つの界面領域を有する周期的な凹凸構造が形成されている。
【００３１】
図２、図３および図４に示した表示体１００は、一例として光透過性材料層である誘電体層１１、１１ａ、１１ｂと金属層１２，１２ａ、１２ｂが交互に、順次、基材１０の表面に形成されて行くに際して、誘電体層１１、１１ａ、１１ｂが先に設けられている場合を示している。
【００３２】
以下に図１、図２、図３および図４に示した表示体１００の構成および光学効果について説明する。
【００３３】
誘電体層１１、１１ａ、１１ｂは、上述したとおり周期的な凹凸構造が形成された領域を含んでおり、更には平坦部を含んでいてもよい。また、周期的な凹凸構造を形成している界面領域ＩＰ１および界面領域ＩＰ２は、図１、図２、図３および図４に示すように誘電体層１１、１１ａ、１１ｂと金属層１２、１２ａ、１２ｂの界面およびＸＹ平面と略平行となるように設けられている。
【００３４】
更に誘電体層１１，１１ａ、１１ｂに設けられた周期的な凹凸構造の谷部または山部は、長辺および短辺の長さがそれぞれ１０ｎｍ以上４００ｎｍ以下の範囲内とすることが好ましく、５０ｎｍ以上３００ｎｍ以下の範囲内とすることがより好ましい。こうすることで、界面領域ＩＰ１および界面領域ＩＰ２の面積比を変えることが可能となり、後に説明する光学効果の特性が変化する。
【００３５】
また、金属層１２、１２ａ、１２ｂの層厚は１０ｎｍ以上５０ｎｍ以下の範囲内とすることが好ましく、１０ｎｍ以上３０ｎｍ以下の範囲内とすることがより好ましい。こうすることで、後に説明する光学効果がより顕著に現れる。
【００３６】
誘電体層１１の特定の領域ごとに、界面領域ＩＰ１と界面領域ＩＰ２の面積比、または周期的な凹凸構造の平均周期Ｄ、または界面領域ＩＰ１および界面領域ＩＰ２の形状、などを周囲から変化させた領域をセル構造とすることにより、絵柄を表現することが可能である。
【００３７】
界面部ＩＰ１の形状は、図５に示すような線状構造、図６および図７に示すような四角形構造だけでなく、円形や楕円計、多角形など幾何学的な形状であってもよい。
【００３８】
界面部ＩＰ１および界面部ＩＰ２を含んだ断面は、矩形形状であること好ましいが、矩形形状の角が丸くなっていてもよい。更には、断面が多角形形状であってもよい。
【００３９】
図１、図２、図３および図４に示す表示体１００の周期的な凹凸構造は、界面領域ＩＰ１または界面領域ＩＰ２により構成され、例えば図５に示すように、線状構造が１次元的にＹ軸方向に対して平行に配列されていてもよい。
【００４０】
更に、界面領域ＩＰ１または界面領域ＩＰ２は、図６や図７に示すように四角形構造が２次元的に配列された、ドットパターンであってもよい。ドットは四角形構造でなく、円形や多角形などの多用な図形を適用することが可能である。
【００４１】
界面領域ＩＰ１および界面領域ＩＰ２において、図５、図６および図７のように周期的な凹凸構造が形成されている場合、その平均周期Ｄは５０ｎｍ以上５００ｎｍ以下の範囲内とすることが好ましく、２００ｎｍ以上５００ｎｍ以下の範囲内とすることがより好ましい。このような構成を採用すると、本来であれば可視光波長領域の光は、構造が細かすぎて透過することができないが、後に説明する表面プラズモン共鳴が生じる。
【００４２】
また、界面領域ＩＰ１および界面領域ＩＰ２のＺ軸方向の差分Ｈは、１００ｎｍ以上６００ｎｍ以下の範囲内とすることが好ましい。より具体的には、金属層１２の厚みに比べ、３倍以上１０倍以下の範囲内とすることが好ましい。このような構成を採用すると、後に説明する表面プラズモンが可視光波長領域において共鳴しやすくなる。
【００４３】
上記の周期的な凹凸構造の平均周期Ｄおよび界面領域ＩＰ１および界面領域ＩＰ２のＺ軸方向の差分Ｈは、用いられる金属材料や誘電体材料により最適な値とすることが好ましい。
【００４４】
誘電体層１１、１１ａ、１１ｂに形成された周期的な凹凸構造の平均周期が可視光波長以下であれば、上述したように可視光波長領域の光は透過することができない。だが、図１のように金属層１２と誘電体層１１とを積層することにより、金属層１２と誘電体層１１との界面において表面プラズモンと呼ばれる表面波が生じ、その表面プラズモンと伝搬光が共鳴、結合することにより特定の波長の光だけが透過する。
【００４５】
ここで、プラズモンとは物質中の自由電子、あるいはイオンの集団的振動のことである。また、表面プラズモンとはそのプラズモンが金属表面（金属層と誘電体層との界面）に染み出した成分のことである。これらプラズモンおよび表面プラズモンは自由電子、あるいはイオンの集団的振動であるため、電磁波の振る舞いを示す。
【００４６】
表面プラズモンと伝搬光が共鳴するためには、表面プラズモンが励起される材料構成が必須であり、最低でも金属層と誘電体層との界面が必要となる。さらには、後述する光学効果を可視光波長領域で得るためには、少なくとも可視光波長領域において金属層の複素誘電率の実部が負の値であることが必要となる。
【００４７】
表面プラズモンと伝搬光を共鳴させる手法はいくつか提案されており、プリズムの一面に金属層と誘電体層を積層させることで共鳴させる手法や、金属層と誘電体層の界面に微細な周期構造を形成させることで共鳴させる手法などがある。
【００４８】
表面プラズモンの励起条件および共鳴条件は、金属層の層厚および材料、誘電体層の層厚
、誘電体層の材料、金属層と誘電体層の積層数、金属層と誘電体層の界面形状などに依存する。
【００４９】
励起された表面プラズモンの角周波数をω、電磁波の速度をｃ、誘電体層の誘電率をε１、金属層の誘電率をε２とすると、表面プラズモンの金属層および誘電体層への染み出し長さδｉは、式（１）で表すことができる。
【数３】
2013174683.tif 000004
【００５０】
染み出し長さδｉは金属層および誘電体層の層厚を決定する際に重要なパラメータとなり、金属層および誘電体層の層厚は好ましくは式（１）より計算される染み出し長さ未満の層厚が求められる。染み出し長さ未満の層厚とすることで、金属層と誘電体層が多層に積層されたときに、各界面にて励起された表面プラズモンが結合し、そうすることで共鳴条件が変化する。
【００５１】
染み出し長さδｉは励起された表面プラズモンの強度が１／ｅの大きさになる長さであるため、実際には染み出し長さδｉ以上においても微弱ながら表面プラズモンは染み出している。そのため、染み出し長さδｉ以上の層厚とすることも可能である。ここでｅは自然数を表す。
【００５２】
図１および図２に示した表示体１００において、図１での金属層１２は、誘電体層１１と空気により挟まれている。一方で図２の金属層１２は誘電体層１１aと誘電体層１１ｂにより挟まれている。こうすることで、上述したように金属層と誘電体層の積層数および誘電体層の材料が異なっているため、表面プラズモンの共鳴条件が変化する。より具体的には、後述する光学効果において、透過する光の波長が変化する。
【００５３】
更に、図３および図４に示した表示体１００において、図３での金属層１２ａは誘電体層１１ａと誘電体層１１ｂにより挟まれており、金属層１２ｂは誘電体層１１ｂと空気によりはさまれている。一方で、図４の金属層１２ａは誘電体層１１ａと誘電体層１１ｂ、金属層１２ｂは誘電体層１１ｂと誘電体層１１ｃにより挟まれている。こうすることで、上述したように金属層と誘電体層の積層数および誘電体層の材料が異なっているため、表面プラズモンの共鳴条件が変化する。より具体的には、後述する光学効果において、透過する光の波長が変化する。更には、誘電体層１１ａおよび誘電体層１１ｂの周期的な凹凸構造の平均周期Ｄ、界面領域ＩＰ１と界面領域ＩＰ２のＺ軸方向の差分Ｈを変えることで、金属層１２aの界面で生じた表面プラズモンと金属層１２ｂの界面で生じた表面プラズモンの結合条件が変わるため、表面プラズモンの共鳴条件が変化する。
【００５４】
上述したように、表示体１００は誘電体層１１、１１ａ、１１ｂの特定のセル領域ごとに、界面領域ＩＰ１と界面領域ＩＰ２の面積比を変える、または周期的な凹凸構造の平均周期Ｄを変える、または界面領域ＩＰ１および界面領域ＩＰ２の形状を変えることにより、またはそれらを同時に変化させた組合せにより、絵柄を表現することが可能である。更には、特定のセル領域ごとに誘電体層１１、１１ａ、１１ｂおよび金属層１２，１２ａ、１２ｂの積層数または積層順序、積層材料を変えることによっても、絵柄を表現することが可能である。
【００５５】
図８に示すように、界面領域ＩＰ１および界面領域ＩＰ２のどちらか一方の界面領域において、さらに周期構造が形成されることにより、誘電体層１１と金属層１２の界面形状が変わり、そのため界面領域ＩＰ１と界面領域ＩＰ２による周期構造によって回折された光によって共鳴する第１の表面プラズモンと、界面領域ＩＰ１に形成された周期構造によって回折された光により共鳴する第２の表面プラズモンが誘電体層１１と金属層１２の界面に生じる。そのため、表面プラズモンの共鳴条件が変化する。
【００５６】
図８では界面領域ＩＰ１の一方に周期構造を形成しているが、界面領域ＩＰ２のみ、又は界面領域ＩＰ１およびＩＰ２の両方に周期構造を形成しても良い。
【００５７】
図９は本発明の表示体の一つの例を示しており、更に図１０はその表示体を、光を透過させて観察している例を示している。
【００５８】
図９において、表示領域ＤＰ１および表示領域ＤＰ２は互いに同じ層構成、材料、周期構造であっても良く、異なっていても良い。よりセキュリティ性を高めるためには、表示領域ＤＰ１および表示領域ＤＰ２は異なる層構成、材料であることが好ましく、更には界面領域ＩＰ１および界面領域ＩＰ２からなる周期的な凹凸構造の平均周期Ｄまたは、界面領域ＩＰ１および界面領域ＩＰ２のＺ軸方向の差分Ｈが異なっていることがより好ましい。
【００５９】
図９に示した表示体１００において、図１０のように光を透過させて観察することにより、表示領域ＤＰ１および表示領域ＤＰ２において表面プラズモンの共鳴条件に対応した透過色を観察することが可能となる。より具体的には、誘電体層１１に形成されている周期的な凹凸構造の平均周期Ｄや、材料、界面領域ＩＰ１と界面領域ＩＰ２のＺ軸方向の差分Ｈの違い、誘電体層と金属層の材料や積層数、積層順の違いにより、表面プラズモンの共鳴波長が変化することで表示体１００を透過した光のスペクトルも変化し、結果的に有色な透過像を観察することが可能となる。
【００６０】
積層体２００の誘電体層は、上述したように周期的な凹凸構造を形成している。その周期性により、積層体２００および表示体１００に光を照射することで、特定の観察角度において可視光波長領域の回折光を観察することが可能となる。
【００６１】
表示体１００は、偽造防止以外の目的で使用してもよい。例えば、表示体１００は、玩具、学習教材又は装飾品等としても利用することができる。
【００６２】
以下に、本発明の具体的実施例について説明するが、本発明はこの形態に限定されるものではない。
【実施例１】
【００６３】
ＰＥＴフィルムに、誘電体層に対応する紫外線硬化性樹脂をグラビアロールコーターで塗工し、凹凸構造形成用フィルムとした。
【００６４】
次に、複製に用いる母型として、四角形状のドットパターンを平均周期３００ｎｍとなるように正方格子状に配列させ、金属版を作製した。なお、界面領域間のＺ軸方向の差分は１５０ｎｍ程度である。
【００６５】
次に、紫外線硬化性樹脂を金属版に押し当て、メタルハライドランプによる紫外線を照射し、紫外線硬化性樹脂硬化後、金属版を剥離することにより凹凸構造を形成した。その後、凹凸構造上に真空蒸着法によってアルミニウムを膜厚５０ｎｍ程度となるように蒸着し、金属層を設けた。なお、アルミニウムの複素誘電率の実部は、公知のように可視光波長領域において負の値を示している。
【００６６】
前記凹凸構造が形成され、かつ前記金属層が蒸着された領域の一部において、前記誘電体層に用いた紫外線硬化性樹脂と同様な材料を膜厚１０μｍ程度となるように塗工し、表示体を得た。
【００６７】
上記のようにして得られた表示体は、光を透過させることにより、前記誘電体層と前記金
属層のみによる領域と前記金属層を前記誘電体層により挟み込んだ領域とにおいて、透過像の色味が異なっていることを目視確認できた。
【符号の説明】
【００６８】
１０…基材、１１…誘電体層、１２…金属層、１００…表示体、２００…積層体、ＩＰ１…界面領域、ＩＰ２…界面領域、ＤＰ１…表示領域、ＤＰ２…表示領域、ＬＳ…光源、ＩＬ…入射光、ＴＬ…透過光、ＯＢ…観察者、Ｄ…周期的な凹凸構造の平均周期、Ｈ…界面領域ＩＰ１および界面領域ＩＰ２のＺ軸方向の差分。
【図１】
2013174683.tif 000006
【図２】
2013174683.tif 000007
【図３】
2013174683.tif 000008
【図４】
2013174683.tif 000009
【図５】
2013174683.tif 000010
【図６】
2013174683.tif 000011
【図７】
2013174683.tif 000012
【図８】
2013174683.tif 000013
【図９】
2013174683.tif 000014
【図１０】
2013174683.tif 000015